(57)【要約】【課題】ＥＭＩフィルタと外部の電子部品との間に電磁波障害を生じることなく、電子装置の作動の安定性を向上させることが可能な電子装置の電磁波障害防止手段の提供。【解決手段】本発明に係る電子装置の電磁波障害防止手段は、ハウジング、接続回路基板、少なくとも１つのＥＭＩフィルタ及び遮蔽部材を含む。ハウジングは、収容スペース及び遮蔽スペースを有する。収容スペース内には、マザーボードが設置される。接続回路基板は、遮蔽スペース内に設置されるとともに、マザーボードに電気的に接続される。ＥＭＩフィルタは、接続回路基板上に設置されるとともに、接続回路基板を介してマザーボードに電気的に接続される。遮蔽部材は、ハウジングに連結されるとともに、遮蔽スペースを覆うように設けられる。【選択図】図１
2017224796.tif 000002
【特許請求の範囲】
【請求項１】
電子装置の電磁波障害防止手段であって、
収容スペース及び遮蔽スペースを有し、前記収容スペース内にマザーボードが設置されるハウジングと、
前記遮蔽スペース内に設置され、前記マザーボードに電気的に接続される接続回路基板と、
前記接続回路基板上に設置され、前記接続回路基板を介して前記マザーボードに電気的に接続される少なくとも１つのＥＭＩフィルタと、
前記ハウジングに連結され、前記ＥＭＩフィルタに被せられる遮蔽部材と、を含むことを特徴とする電子装置の電磁波障害防止手段。
【請求項２】
前記遮蔽スペースは、前記収容スペース内に凹設され、
前記マザーボードは、前記遮蔽スペース側に設置されることを特徴とする請求項１に記載の電子装置の電磁波障害防止手段。
【請求項３】
前記遮蔽スペース内には、封止材が充填されることを特徴とする請求項１に記載の電子装置の電磁波障害防止手段。
【請求項４】
前記遮蔽部材は、前記遮蔽スペースを覆うことを特徴とする請求項１に記載の電子装置の電磁波障害防止手段。
【請求項５】
前記マザーボードは、入力端を有し、
前記ＥＭＩフィルタは、前記入力端に電気的に接続されることを特徴とする請求項１に記載の電子装置の電磁波障害防止手段。
【請求項６】
前記接続回路基板上に設置され、前記接続回路基板を介して前記マザーボードに電気的に接続される第二のＥＭＩフィルタをさらに含むことを特徴とする請求項５に記載の電子装置の電磁波障害防止手段。
【請求項７】
前記マザーボードは、出力端を有し、
前記第二のＥＭＩフィルタは、前記出力端に電気的に接続されることを特徴とする請求項６に記載の電子装置の電磁波障害防止手段。
【請求項８】
複数の導線をさらに含み、
前記接続回路基板は、前記複数の導線を介して前記マザーボードに電気的に接続されることを特徴とする請求項１に記載の電子装置の電磁波障害防止手段。
【請求項９】
前記ハウジングは、金属ケースであり、
前記遮蔽部材は、金属シートであることを特徴とする請求項１に記載の電子装置の電磁波障害防止手段。
【請求項１０】
前記ハウジングは、本体領域と、前記本体領域の一方側に間隔を空けて位置する配線領域とを含み、
前記収容スペースは、前記本体領域内に位置し、
前記遮蔽スペースは、前記配線領域内に位置することを特徴とする請求項１に記載の電子装置の電磁波障害防止手段。
【請求項１１】
前記電子装置は、インバータであり、
前記収容スペース内には、ＰＷＭ制御回路と、発振器とがさらに設置されることを特徴とする請求項１に記載の電子装置の電磁波障害防止手段。
【請求項１２】
前記遮蔽スペースは、矩形の収容溝であることを特徴とする請求項１に記載の電子装置の電磁波障害防止手段。
【請求項１３】
前記ハウジングは、複数のプレート片を含み、
前記収容スペースは、前記複数のプレート片に囲まれることで形成されることを特徴とする請求項１に記載の電子装置の電磁波障害防止手段。
【請求項１４】
前記ハウジングは、一体成型で形成されることを特徴とする請求項１に記載の電子装置の電磁波障害防止手段。
【請求項１５】
前記ハウジングは、前記収容スペースを封止するキャップをさらに含むことを特徴とする請求項１に記載の電子装置の電磁波障害防止手段。
【発明の詳細な説明】
【技術分野】
【０００１】
本発明は、電磁波障害防止手段に関し、特に、電子装置内に個別に設置される電磁波障害防止手段に関する。
【背景技術】
【０００２】
一般に、モータ、電子装置等の部品の作動中に部品自体に電磁ノイズが発生する。また、装置外部の電磁ノイズが放射されたり、伝導したりすることによって装置の異常動作を引き起こすこともある。
【０００３】
従来、放射ノイズや伝導ノイズによる周囲の電気環境への影響を防止するために、マザーボードにフィルタ回路を増設することによって信号の電磁ノイズをフィルタリングすることが多い。
【発明の概要】
【発明が解決しようとする課題】
【０００４】
しかしながら、上記のようなフィルタ回路は、外部の電子部品による電磁波障害（Electromagnetic Interference：ＥＭＩ）を受ける場合があるから、フィルタの作動に不安定性が生じる欠点を有する。また、マザーボードへのフィルタ回路の増設によって回路基板上のスペースが占有されるため、他の電子部品の設置に影響を与えることになる。
【０００５】
このように、上記の問題点を解決可能な電子装置の電磁波障害防止手段を提供することが、本発明が解決しようとする課題となっている。
【０００６】
本発明の一つの目的は、ＥＭＩフィルタと外部の電子部品との間に電磁波障害を生じることなく、電子装置の作動の安定性を向上させることが可能な電子装置の電磁波障害防止手段を提供することである。
【０００７】
本発明のもう一つの目的は、ＥＭＩフィルタを他の回路基板上に設置することで、マザーボードのスペースを占有することなく、他の電子部品の設置に有利な電子装置の電磁波障害防止手段を提供することである。
【課題を解決するための手段】
【０００８】
上記課題を解決するために、本発明に係る電子装置の電磁波障害防止手段は、ハウジング、接続回路基板、少なくとも１つのＥＭＩフィルタ及び遮蔽部材を含む。ハウジングは、収容スペース及び遮蔽スペースを有する。収容スペース内には、マザーボードが設置される。接続回路基板は、遮蔽スペース内に設置されるとともに、マザーボードに電気的に接続される。ＥＭＩフィルタは、接続回路基板上に設置されるとともに、接続回路基板を介してマザーボードに電気的に接続される。遮蔽部材は、ハウジングに連結されるとともに、ＥＭＩフィルタに被せられる。
【発明の効果】
【０００９】
本発明に係る電子装置の電磁波障害防止手段では、遮蔽スペースがハウジング内に個別に形成され、この遮蔽スペースの設置によってＥＭＩフィルタ及びそれに接続する接続回路基板が個別に配置されることが可能となり、遮蔽スペースが遮蔽部材によって覆われるようになっている。これにより、本発明は従来技術と比べて、遮蔽スペース内におけるＥＭＩフィルタに対して優れた遮蔽効果を付与することができる。その結果、ＥＭＩフィルタが作動中に外部からの電磁波障害を受けてＥＭＩフィルタの通常の作動に影響を与えることを防止できる。
また、本発明のＥＭＩフィルタは、他の回路基板上に設置されるため、マザーボードのスペースを占有することなく、他の電子部品の設置に有利になる。その結果、本発明に係る電子装置の電磁波障害防止手段の利便性及び実用性を向上させることができる。
【図面の簡単な説明】
【００１０】
【図１】本発明の第一実施形態に係る電子装置の電磁波障害防止手段の立体斜視図である。
【図２】本発明の第一実施形態に係る電子装置の電磁波障害防止手段の一部分解斜視図である。
【図３】本発明の第一実施形態に係る電子装置の電磁波障害防止手段の上面図である。
【図４】本発明の第二実施形態に係る電子装置の電磁波障害防止手段の立体斜視図である。
【図５】本発明の第二実施形態に係る電子装置の電磁波障害防止手段の一部上面図である。
【発明を実施するための形態】
【００１１】
以下、本発明の技術内容及び詳細な説明について、図面を参照しつつ説明する。ただし、図面は、参照および説明用に過ぎず、決して本発明を限定するものではない。
【００１２】
図１乃至図３は、それぞれ本発明の第一実施形態に係る電子装置の電磁波障害防止手段の立体斜視図、一部分解斜視図及び上面図である。本発明に係る電子装置の電磁波障害防止手段は、ハウジング１０、接続回路基板２０、少なくとも１つのＥＭＩフィルタ３０及び遮蔽部材４０を含む。ＥＭＩフィルタ３０は、接続回路基板２０上に設置される。接続回路基板２０は、ハウジング１０内に取り付けられる。遮蔽部材４０は、ＥＭＩフィルタ３０に被せられる。こうすることで、電子装置１の電磁波障害防止手段が形成される。
【００１３】
図１に示すように、ハウジング１０は金属ケースであることが好ましい。ハウジング１０は、複数のプレート片１１を含む。収容スペース１００及び遮蔽スペース１０１は、これらのプレート片１１に囲まれることによって、形成される。収容スペース１００内には、マザーボード１２が設置される。図２に示すように、遮蔽スペース１０１は、収容スペース１００内に凹設される。マザーボード１２は、遮蔽スペース１０１側に設置される。本実施形態において、遮蔽スペース１０１は、矩形の収容溝であるが、これに限定されない。実際の実施においては、遮蔽スペース１０１は、接続回路基板２０及びＥＭＩフィルタ３０を収容可能な形態の遮蔽スペースであってもよい。
【００１４】
ハウジング１０の成型形態は、限定されないことを理解されたい。実際の実施においては、ハウジング１０は、一体成型（例えば、ダイカスト等）で形成されてもよい。
【００１５】
接続回路基板２０には、ＥＭＩフィルタ３０が設置される。接続回路基板２０は、遮蔽スペース１０１内に設置されるとともに、マザーボード１２に電気的に接続される。
【００１６】
また、ＥＭＩフィルタ３０は、１つ以上のソレノイド（インダクタ）が複数のコンデンサに並列に接続されて形成される回路である。本発明の一実施形態において、ＥＭＩフィルタ３０は、接続回路基板２０上に設置される。ＥＭＩフィルタ３０は、接続回路基板２０を介してマザーボード１２に電気的に接続される。詳細には、ＥＭＩフィルタ３０は、回路の入力端または出力端に接続される。ＥＭＩフィルタ３０の設置によれば、伝導ノイズや放射ノイズが周囲の電気環境へ及ぼす影響を防止することができる。
【００１７】
本発明の一実施形態において、マザーボード１２は、ＥＭＩフィルタ３０に電気的に接続される入力端１２１を有する。
【００１８】
遮蔽部材４０は、ハウジング１０に連結されるとともに、ＥＭＩフィルタに被せられる。なお、遮蔽部材４０は、遮蔽スペース１０１を覆うことが好ましい。本実施形態において、遮蔽部材４０は、金属シートであって遮蔽スペース１０１を覆うように設けられ、これにより、遮蔽スペース１０１内に設置されるＥＭＩフィルタ３０に対して遮蔽効果を付与する。その結果、ＥＭＩフィルタ３０が作動中に外部からの電磁波障害を受けてＥＭＩフィルタ３０の通常の作動に影響を与えることを防止できる。
【００１９】
本発明の一実施形態において、電子装置１の電磁波障害防止手段は、第二のＥＭＩフィルタ５０をさらに含む。また、第二のＥＭＩフィルタ５０は、接続回路基板２０上に設置されるとともに、ＥＭＩフィルタ３０の一端側に位置する。第二のＥＭＩフィルタ５０も接続回路基板２０を介してマザーボード１２に電気的に接続される。より詳細には、マザーボード１２は、出力端１２２を有する。第二のＥＭＩフィルタ５０は、出力端１２２に電気的に接続される。
【００２０】
本発明の一実施形態において、ハウジング１０は、キャップ１３をさらに含む。キャップ１３は、収容スペース１００を封止することで、収容スペース１００内における素子に対して遮蔽効果を付与する。
【００２１】
図３に示すように、本実施形態に係る電子装置１の電磁波障害防止手段は、複数の導線６０をさらに含む。接続回路基板２０は、これらの導線６０を介してマザーボード１２に電気的に接続される。本実施形態において、電子装置１は、インバータである。収容スペース１００内には、ＰＷＭ制御回路や発振器（図示せず）等の電子素子がさらに設置される。
【００２２】
接続回路基板２０及びマザーボード１２は、導線によって接続される形態に限られないことを理解されたい。実際の実施においては、接続回路基板２０及びマザーボード１２は、コネクタを介して接続される形態等であってもよい。
【００２３】
また、遮蔽スペース１０１内には、接続回路基板２０、ＥＭＩフィルタ３０及び第二のＥＭＩフィルタ５０が配置された後に封止材（図示せず）が充填されてもよい。封止材は、放熱グリスであってもよい。これにより、接続回路基板２０、ＥＭＩフィルタ３０及び第二のＥＭＩフィルタ５０を放熱することができる。
【００２４】
図４及び図５は、それぞれ本発明の第二実施形態に係る電子装置の電磁波障害防止手段の立体斜視図及び一部上面図である。本実施形態は、第一実施形態とほぼ同様である。具体的に、本実施形態に係る電子装置１ａの電磁波障害防止手段は、ハウジング１０ａ、接続回路基板２０ａ、ＥＭＩフィルタ３０ａ、遮蔽部材４０ａ及び第二のＥＭＩフィルタ５０ａを含む。ハウジング１０ａは、収容スペース１００ａ及び遮蔽スペース１０１ａを有する。収容スペース１００ａ内には、マザーボード１２ａが設置される。ＥＭＩフィルタ３０ａ及び第二のＥＭＩフィルタ５０ａは、接続回路基板２０ａ上に設置される。接続回路基板２０ａは、遮蔽スペース１０１ａ内に取り付けられる。遮蔽部材４０ａは、ＥＭＩフィルタ３０ａ及び第二のＥＭＩフィルタ５０ａに被せられる。こうすることで、電子装置１ａの電磁波障害防止手段が形成される。本実施形態は、遮蔽スペース１０１ａの設置形態で第一実施形態と異なる。
【００２５】
本実施形態において、マザーボード１２ａは、入力端１２１ａ及び出力端１２２ａを有する。また、ＥＭＩフィルタ３０ａは、入力端１２１ａに電気的に接続される。一方、第二のＥＭＩフィルタ５０ａは、出力端１２２ａに電気的に接続される。さらに、電子装置１ａの電磁波障害防止手段は、複数の導線６０ａをさらに含む。接続回路基板２０ａは、これらの導線６０ａを介してマザーボード１２ａに電気的に接続される。すなわち、ＥＭＩフィルタ３０ａ及び第二のＥＭＩフィルタ５０ａは、複数の導線６０ａを介して入力端１２１ａ及び出力端１２２ａに電気的に接続され、これにより、電磁波障害を防止する効果を得ることができる。
【００２６】
本発明の一実施形態において、ハウジング１０ａは、本体領域１４ａと、本体領域１４ａの一方側に間隔を空けて位置する配線領域１５ａとを含む。また、収容スペース１００ａは、本体領域１４ａ内に位置する。遮蔽スペース１０１ａは、配線領域１５ａ内に位置する。より詳細には、配線領域１５ａは、本体領域１４ａと間隔を空けて設置されることで、電子装置１ａの電気制御スペースとして機能する。このような設置形態により、メンテナンスを容易に行うとともに、優れた電気特性を維持することができる。
【００２７】
以上、本発明の好適な実施形態を説明したが、本発明はこれらの実施形態に限定されるものではない。また、本発明の内容を応用してなされる均等な変更は、すべて本発明の範囲に含まれることはいうまでもない。
【符号の説明】
【００２８】
１、１ａ 電子装置
１０、１０ａ ハウジング
１００、１００ａ 収容スペース
１０１、１０１ａ 遮蔽スペース
１１ プレート片
１２、１２ａ マザーボード
１２１、１２１ａ 入力端
１２２、１２２ａ 出力端
１３ キャップ
１４ａ 本体領域
１５ａ 配線領域
２０、２０ａ 接続回路基板
３０、３０ａ ＥＭＩフィルタ
４０、４０ａ 遮蔽部材
５０、５０ａ 第二のＥＭＩフィルタ
６０、６０ａ 導線
【図１】
2017224796.tif 000003
【図２】
2017224796.tif 000004
【図３】
2017224796.tif 000005
【図４】
2017224796.tif 000006
【図５】
2017224796.tif 000007